【手続補正書】
【提出日】平成19年10月16日(2007.10.16)
【手続補正１】
【補正対象書類名】明細書
【補正対象項目名】特許請求の範囲
【補正方法】変更
【補正の内容】
【特許請求の範囲】
【請求項１】
権限のない通信を防止するためのシステムであって、
移動ユニットを一意的に識別する静的移動ユニット識別子を有するとともに、第一ランダム識別番号を生成し、当該第一ランダム識別番号を記憶する移動ユニット、
前記移動ユニットと通信を行う基地局、
前記基地局と通信を行い、前記静的移動ユニット識別子に関連づけられたテーブルを用いることにより第二生成識別番号(second generated identification number)を生成するとともに、前記基地局と前記第二生成識別番号をやりとりする中央制御局(central control)、を備え、
前記基地局は、前記移動ユニットから前記第一ランダム識別子を受信し、当該第一ランダム識別子と第二生成識別番号を比較することにより、セキュリティーを提供し、
前記第一ランダム識別子は、更新可能であり、前記静的移動ユニット識別子に基づき通話毎、周期的な間隔、および／又は、きっかけとなる事象(triggering event)が生じると、更新されること、
を特徴とするシステム。
【請求項２】
請求項１のシステムにおいて、さらに、前記静的移動ユニット識別子および前記第一ランダム識別子間の相互関係(correlation)を維持する、アカウント管理システムを備えたこと、
を特徴とするシステム。
【請求項３】
請求項１のシステムにおいて、さらに、前記静的移動ユニット識別子に基づいて権限のない通信を検出するセキュリティーシステムを備えたこと、
を特徴とするシステム。
【請求項４】
請求項１のシステムにおいて、さらに、前記第一ランダム識別子を更新する少なくとも一のアカウント管理システムを備えたこと、
を特徴とするシステム。
【請求項５】
請求項１のシステムにおいて、さらに、前記移動ユニットと他の装置間の前記通信の一部について、前記静的移動ユニット識別子に基づき少なくとも暗号化および復号化のいずれかが可能な、少なくとも一のセキュリティーシステムを備えたこと、
を特徴とするシステム。
【請求項６】
請求項１のシステムにおいて、前記移動ユニットは、少なくとも、携帯電話、ページャー、携帯通信装置および無線モデムのいずれかであること、
を特徴とするシステム。
【請求項７】
請求項１のシステムにおいて、前記基地局は、前記静的移動ユニット識別子および前記第一ランダム識別子に基づいて通信を提供するための、携帯電話塔(cellular tower)、衛星およびリレー局のいずれかであること、
を特徴とするシステム。
【請求項８】
請求項１のシステムにおいて、前記中央制御局は、前記静的移動ユニット識別子および前記第一ランダム識別子に基づいて通信を提供するための、通信システム、電気通信システムおよび衛星通信システムのいずれかの少なくとも一部であること、
を特徴とするシステム。
【請求項９】
請求項１のシステムにおいて、前記移動ユニットとの通信中、現在の前記第一ランダム識別子の一つを、前記静的移動ユニット識別子に置き換えること、
を特徴とするシステム。
【請求項１０】
請求項１のシステムにおいて、前記静的移動ユニット識別子は、前記移動ユニットの電話番号に基づくこと、
を特徴とするシステム。
【請求項１１】
請求項１のシステムにおいて、前記静的移動ユニット識別子は、前記移動ユニットの電話番号であること、
を特徴とするシステム。
【請求項１２】
請求項１のシステムにおいて、前記第一ランダム識別番号を更新するための前記第一ランダム識別番号および前記第二生成ランダム識別番号は、安全な方法で交換されること、
を特徴とするシステム。
【請求項１３】
請求項１２のシステムにおいて、前記第一ランダム識別番号および前記第二生成ランダム識別番号を交換する安全な方法は、暗号化に基づくこと、
を特徴とするシステム。
【手続補正２】
【補正対象書類名】明細書
【補正対象項目名】００１０
【補正方法】変更
【補正の内容】
【００１０】
実施形態の一例において、本発明のシステムおよび方法は、高いレベルの防御を提供するとともに、電話を模倣する者を追跡し(track)、捕捉する(capture)こと、ができる。第一に、例えば、携帯電話のアイデンティティーは、絶えず変更されるので、模倣する者は、更新された現在の識別子を得るため、当該電話の通話を追跡するよう各通話の傍受を続けなければならない。例えば、ユーザーが模倣者のいる近くで電源をオンにすると、携帯電話と基地信号(base signal)間の通話から電話の識別番号がコピーされてしまう。ユーザーが電話を掛け、模倣者によって現在の識別子が傍受されコピーされてしまい、しかも、交換された通信信号が、まだ傍受範囲内にある場合、”終了”命令の際に当該携帯電話に対し、次の識別子がコピーされる。当該次の識別番号は、次回の通話に有効であり、プログラムされた電話を通じて第三者の手に渡り、最初に権限のない通話が行われた際、有効でなくなる場合もある。
【手続補正３】
【補正対象書類名】明細書
【補正対象項目名】００２１
【補正方法】変更
【補正の内容】
【００２１】
図１は、通信システム１００の一例を示している。この通信システム１００は、一以上の携帯通信装置２００、一以上の基地局３００、ならびに、一以上の中央制御局４００を備えている。図示の容易化のため、例示した通信システム１００は、一の携帯通信装置２００、一の基地局３００ならびに中央制御局４００を有している。しかし、実施要件の必要に応じて、異なるそれぞれの装置を複数を用いるようにしてもよいことが、理解されよう。携帯通信装置２００は、リンク５によって接続される、コントローラー２１０、メモリ２２０、セキュリテイーシステム２３０および通信ハードウエアおよび／又はソフトウエア２４０、を備えている。かかる携帯通信装置２００は、アンテナ１０を介し、一以上の基地局３００および中央制御局４００と通信を行う。基地局３００は、リンク５によって接続される、コントローラー３１０、メモリ３２０、セキュリテイーシステム３３０、アカウントマネージャー３４０ならびに通信ハードウエアおよび／又はソフトウエア３５０、を備えている。また、中央制御局４００は、リンク５によって接続される、コントローラー４１０、メモリ４２０、アカウント管理システム４３０、アカウント記憶装置４４０、エラー分析システム４５０ならびにセキュリテイーシステム４６０、を備えている。
【手続補正４】
【補正対象書類名】明細書
【補正対象項目名】００２２
【補正方法】変更
【補正の内容】
【００２２】
図１に示した例示実施形態では、通信システム１００の部品配列を示したが、通信システム１００の様々な部品を、電気通信ネットワーク、ローカルエリアネットワーク、広域ネットワーク等の配信ネットワークの遠隔部分、および、インターネットおよび／又はイントラネット、ないしは、専用のエコーキャンセレーション装置内に位置させてもよいこと、が理解されよう。したがって、通信システム１００の様々な部品は、１以上の装置内に組み込まれても良いし、また、配信ネットワークの特定のノードに配置してもよいことを理解すべきである。以下の説明、および、演算の効率化の観点、から理解されるように、通信システムの部品は、システムの動作に影響を及ぼさないのであれば、配信ネットワーク内のどの場所に配置してもよい。
【手続補正５】
【補正対象書類名】明細書
【補正対象項目名】００２４
【補正方法】変更
【補正の内容】
【００２４】
図示の容易化のため、通信システムの様々な素子の間でやりとりされる種々の制御信号およびデータは、それらのフルネーム又は情報を示すシンボルで示されている。かかる情報には、そのいずれもが標準的な電気通信制御信号である、ベース制御信号（ＳＢ）、および携帯制御信号（ＳＭ）が含まれる。また、形態ユニットに割り当てられている電話番号（Ｐ）および携帯ユニット識別番号（Ｍ）は、標準的な交換値（standard exchange values)を有する。その他の専門用語としては、基地局キー（ＫＢ）、携帯ユニットキー（ＫＭ）、現在のランダム識別番号（Ｃ）、次のランダム識別番号（Ｎ）、暗号化機能（Ｅ）、暗号解読機能（Ｄ）、暗号化携帯ユニット識別番号（ＭＥ）、暗号化された現在のランダム識別番号（ＣＥ）、ならびに暗号化された次のランダム識別番号（ＮＥ）がある。
【手続補正６】
【補正対象書類名】明細書
【補正対象項目名】００２５
【補正方法】変更
【補正の内容】
【００２５】
動作中、通信装置の電源はオンになっている。この初期化中、当該通信装置は、基地局３００と通信を行っている。基地局３００は、当該通信装置２００が初期化を必要としているか否か、を判断する。当該通信装置２００が、例えば、最初の使用に際し、初期化を必要としている場合、基地局は、通信装置に対し、ベース制御信号（ＳＢ）、および暗号化した携帯ユニット識別番号（Ｍ）、通信装置の電話番号（Ｐ）、次のランダム識別番号（Ｎ）、現在のランダム識別番号（Ｃ）、基地局キー（ＫＢ）ならびに携帯ユニットキー（ＫＭ）を送信する。これらの値は、通信装置２００により解読され、メモリ２２０に記憶される。
【手続補正７】
【補正対象書類名】明細書
【補正対象項目名】００５６
【補正方法】変更
【補正の内容】
【００５６】
ステップＳ７４０においては、携帯ユニットに割り当てられた電話番号、携帯ユニットキー、次のランダム識別番号、現在のランダム識別番号ならびに携帯ユニット識別番号が、暗号化され、基地局に向けて送られる。次に、動作が終了するステップＳ７５０に進む。
【手続補正８】
【補正対象書類名】明細書
【補正対象項目名】００６２
【補正方法】変更
【補正の内容】
【００６２】
したがって、本発明によって、通信のセキュリテイーを向上させるシステムおよび方法が提供されることは、明らかである。本発明は、いくつかの実施形態に関して説明されているが、適用可能な技術の当業者にとっては、多くの代替手段、変更例があることは、明らかに理解できる。したがって、出願人は、本発明の精神および範囲中にある、かかる代替手段、変更例、均等物を含むことを意図している。